(57)【要約】【課題】電子機器における自機の移動状態の利用方法を改善すること。【解決手段】電子機器１は、バッテリー４０と、自機の移動状態を判定するための少なくとも一つのセンサ（例えば、加速度センサ１５）と、コントローラ１０と、を有する。コントローラ１０は、バッテリー４０の充電状態と、自機の移動状態と、に基づいて、自機の利用者が安全な場所にいるか否かを推定する。電子機器１は、通信ユニット６をさらに有してもよい。コントローラ１０は、利用者が安全な場所にいないと推定した場合、利用者の存在を外部の電子機器に通信ユニット６を介して報知する報知処理を実行してもよい。【選択図】図１
2018033030.tif 000002
【特許請求の範囲】
【請求項１】
バッテリーと、
自機の移動状態を判定するための少なくとも一つのセンサと、
コントローラと、を有し、
前記コントローラは、
前記バッテリーの充電状態と、前記自機の移動状態と、に基づいて、前記自機の利用者が安全な場所にいるか否かを推定する電子機器。
【請求項２】
通信ユニットをさらに有し、
前記コントローラは、前記利用者が安全な場所にいないと推定した場合、前記利用者の存在を外部の電子機器に前記通信ユニットを介して報知する報知処理を実行する請求項１に記載の電子機器。
【請求項３】
前記コントローラは、前記利用者が安全な場所にいると推定した場合、前記報知処理を実行しない請求項２に記載の電子機器。
【請求項４】
前記安全な場所は、屋内である請求項１から３のいずれか１項に記載の電子機器。
【請求項５】
バッテリーと、少なくとも一つのセンサとを有する電子機器の制御方法であって、
前記センサによって自機の移動情報を判定するステップと、
前記バッテリーの充電状態と、前記自機の移動状態と、に基づいて、前記自機の利用者が安全な場所にいるか否かを判定するステップと、
を含む制御方法。
【請求項６】
バッテリーと、少なくとも一つのセンサとを有する電子機器に、
前記センサによって自機の移動情報を判定するステップと、
前記バッテリーの充電状態と、前記自機の移動状態と、に基づいて、前記自機の利用者が安全な場所にいるか否かを判定するステップと、
を実行させる制御プログラム。
【発明の詳細な説明】
【技術分野】
【０００１】
本出願は、電子機器、制御方法、及び制御プログラムに関する。
【背景技術】
【０００２】
従来の電子機器には、自機の移動状態を検出する移動状態検出手段を備えるものがある（例えば、特許文献１参照）。
【先行技術文献】
【特許文献】
【０００３】
【特許文献１】特開２００９−２６７７７０号公報
【発明の概要】
【発明が解決しようとする課題】
【０００４】
上記の電子機器には、自機の移動状態の利用方法に改善の余地があった。
【課題を解決するための手段】
【０００５】
態様の１つに係る電子機器は、バッテリーと、自機の移動状態を判定するための少なくとも一つのセンサと、コントローラと、を有する。前記コントローラは、前記バッテリーの充電状態と、前記自機の移動状態と、に基づいて、前記自機の利用者が安全な場所にいるか否かを推定する。
【０００６】
態様の１つに係る制御方法は、バッテリーと、少なくとも一つのセンサとを有する電子機器の制御方法であって、前記センサによって自機の移動情報を判定するステップと、前記バッテリーの充電状態と、前記自機の移動状態と、に基づいて、前記自機の利用者が安全な場所にいるか否かを判定するステップと、を含む。
【０００７】
態様の１つに係る制御プログラムは、バッテリーと、少なくとも一つのセンサとを有する電子機器に、前記センサによって自機の移動情報を判定するステップと、前記バッテリーの充電状態と、前記自機の移動状態と、に基づいて、前記自機の利用者が安全な場所にいるか否かを判定するステップと、を実行させる。
【図面の簡単な説明】
【０００８】
【図１】図１は、電子機器の機能構成の一例を示すブロック図である。
【図２】図２は、推定データの一例を示す図である。
【図３】図３は、電子機器による制御の一例の処理手順を示すフローチャートである。
【図４】図４は、報知システムのシステム構成の一例を示すシステム図である。
【図５】図５は、推定データの他の一例を示す図である。
【発明を実施するための形態】
【０００９】
本出願に係る電子機器、制御方法、及び制御プログラムを実施するための実施形態を、図面を参照しつつ詳細に説明する。電子機器は、例えば、スマートフォン、携帯電話機、ウェアラブル装置、タブレット、携帯型パソコン、デジタルカメラ、メディアプレイヤ、電子書籍リーダ、ナビゲータ、及びゲーム機を含むが、これに限定されない。以下の説明において、同様の構成要素について同一の符号を付すことがある。さらに、重複する説明は省略することがある。
【００１０】
図１を参照しつつ、複数の実施形態の一例に係る電子機器１の機能構成の一例を説明する。図１は、電子機器１の機能構成の一例を示すブロック図である。
【００１１】
図１に示すように、電子機器１は、タッチスクリーンディスプレイ２と、１もしくは複数のボタン３と、照度センサ４と、近接センサ５と、通信ユニット６と、レシーバ７と、マイク８と、ストレージ９と、コントローラ１０と、スピーカ１１と、カメラ１２と、カメラ１３と、コネクタ１４と、加速度センサ１５と、地磁気センサ１６と、角速度センサ１７と、ＧＰＳ（Ｇｌｏｂａｌ  Ｐｏｓｉｔｉｏｎｉｎｇ  Ｓｙｓｔｅｍ）レシーバ１８と、バッテリー４０と、充電部４１とを含む。以下の説明において、電子機器１を「自機」と表記する場合がある。
【００１２】
タッチスクリーンディスプレイ２は、ディスプレイ２Ａと、タッチスクリーン２Ｂとを含む。ディスプレイ２Ａ及びタッチスクリーン２Ｂは、例えば、重なって位置してもよいし、並んで位置してもよいし、離れて位置してもよい。ディスプレイ２Ａとタッチスクリーン２Ｂとが重なって位置する場合、例えば、ディスプレイ２Ａの１ないし複数の辺は、タッチスクリーン２Ｂのいずれの辺とも沿っていなくてもよい。
【００１３】
ディスプレイ２Ａは、液晶ディスプレイ（ＬＣＤ：Ｌｉｑｕｉｄ  Ｃｒｙｓｔａｌ  Ｄｉｓｐｌａｙ）、有機ＥＬディスプレイ（ＯＥＬＤ：Ｏｒｇａｎｉｃ  Ｅｌｅｃｔｒｏ−Ｌｕｍｉｎｅｓｃｅｎｃｅ  Ｄｉｓｐｌａｙ）、又は無機ＥＬディスプレイ（ＩＥＬＤ：Ｉｎｏｒｇａｎｉｃ  Ｅｌｅｃｔｒｏ−Ｌｕｍｉｎｅｓｃｅｎｃｅ  Ｄｉｓｐｌａｙ）等の表示デバイスを含む。ディスプレイ２Ａは、文字、画像、記号、及び図形等のオブジェクトを画面内に表示できる。
【００１４】
タッチスクリーン２Ｂは、タッチスクリーン２Ｂに対する１もしくは複数の指、１もしくは複数のペン、または１もしくは複数のスタイラスペン等の接触又は近接を検出できる。タッチスクリーン２Ｂは、１もしくは複数の指、１もしくは複数のペン、又は１もしくは複数のスタイラスペン等がタッチスクリーン２Ｂに接触又は近接したときのタッチスクリーン２Ｂ上の位置を検出できる。タッチスクリーン２Ｂが検出する指、ペン、及びスタイラスペン等は、「指」と表記する場合がある。ある実施形態において、タッチスクリーン２Ｂは、検出方式として静電容量方式、抵抗膜方式又は荷重検出方式を適宜採用できる。
【００１５】
コントローラ１０は、タッチスクリーン２Ｂにより検出された検出結果に基づいて、ジェスチャの種別を判別できる。検出結果は、例えば、接触の数、接触が検出された位置、接触が検出された位置の変化、接触が検出された時間的長さ、接触が検出された時間的間隔、及び接触が検出された回数を含む。コントローラ１０が行える動作を、コントローラ１０を有する電子機器１は実行できる。言い換えると、コントローラ１０が行う動作は、電子機器１が行ってもよい。ジェスチャは、指を用いて、タッチスクリーン２Ｂに対して行われる操作である。タッチスクリーン２Ｂに対して行われる操作は、タッチスクリーン２Ｂを有するタッチスクリーンディスプレイ２に対して行われてもよい。コントローラ１０が、タッチスクリーン２Ｂを介して判別するジェスチャには、例えば、タッチ、ロングタッチ、リリース、スワイプ、タップ、ダブルタップ、ロングタップ、ドラッグ、フリック、ピンチイン、及びピンチアウトが含まれるが、これらに限定されない。
【００１６】
ボタン３は、利用者からの操作入力を受け付ける。ボタン３は、利用者からの操作入力を受け付けると、コントローラ１０に操作入力を受け付けた旨を通知する。ボタン３の数は、単数であっても、複数であってもよい。
【００１７】
照度センサ４は、照度を検出できる。照度は、照度センサ４の測定面の単位面積に入射する光束の値である。照度センサ４は、例えば、ディスプレイ２Ａの輝度の調整に用いてもよい。
【００１８】
近接センサ５は、近隣の物体の存在を非接触で検出できる。近接センサ５は、磁界の変化又は超音波の反射波の帰還時間の変化等に基づいて物体の存在を検出する。近接センサ５は、例えば、ディスプレイ２Ａに利用者の顔が接近したことを検出するのに用いてもよい。照度センサ４及び近接センサ５は、１つのセンサとして構成されていてもよい。照度センサ４は、近接センサとして用いられてもよい。
【００１９】
通信ユニット６は、無線により通信できる。通信ユニット６は、無線通信規格をサポートする。通信ユニット６によってサポートされる無線通信規格には、例えば、２Ｇ、３Ｇ、４Ｇ、５Ｇ等のセルラーフォンの通信規格と、近距離無線の通信規格とが含まれる。セルラーフォンの通信規格としては、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＷｉＭＡＸ（登録商標）（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等がある。近距離無線の通信規格としては、例えば、ＩＥＥＥ８０２．１１（ＩＥＥＥは、Ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ，  Ｉｎｃ．の略称である）、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）、ＷＰＡＮ（Ｗｉｒｅｌｅｓｓ  Ｐｅｒｓｏｎａｌ  Ａｒｅａ  Ｎｅｔｗｏｒｋ）等が含まれる。ＷＰＡＮの通信規格には、例えば、ＺｉｇＢｅｅ（登録商標）、ＤＥＣＴ（Ｄｉｇｉｔａｌ  Ｅｎｈａｎｃｅｄ  Ｃｏｒｄｌｅｓｓ  Ｔｅｌｅｃｏｍｍｕｎｉｃａｔｉｏｎｓ）、Ｚ−Ｗａｖｅ、ＷｉＳｕｎ（Ｗｉｒｅｌｅｓｓ  Ｓｍａｒｔ  Ｕｔｉｌｉｔｙ  Ｎｅｔｗｏｒｋ）が含まれる。通信ユニット６は、上述した通信規格の１つ又は複数をサポートしていてもよい。
【００２０】
通信ユニット６は、例えば、道路、交差点等の付近に設置される路側機との通信を可能とするための複数の通信規格をさらにサポートする。交差点は、２本以上の道路が交差する部分を含む。通信規格は、例えば、双方向通信を可能とするＤＳＲＣ（Ｄｅｄｉｃａｔｅｄ  Ｓｈｏｒｔ  Ｒａｎｇｅ  Ｃｏｍｍｕｎｉｃａｔｉｏｎ）を含む。実施形態の１つの例において、通信ユニット６は、路側機が所定の通信エリア内に発信した電波を受信できる。通信ユニット６は、例えば、路側機、他の電子機器等で受信可能な電波を発信できる。所定の通信エリアは、所定のエリアの一例である。所定のエリアは、例えば、道路の近傍のエリアを含んでもよい。所定のエリアは、例えば、交差点、駐車場等のエリアを含んでもよい。
【００２１】
レシーバ７は、コントローラ１０から送信される音信号を音として出力できる。レシーバ７は、例えば、電子機器１にて再生される動画の音、音楽の音、及び通話時の相手の声を出力できる。マイク８は、入力される利用者の声等を音信号へ変換してコントローラ１０へ送信する。
【００２２】
ストレージ９は、プログラム及びデータを記憶できる。ストレージ９は、コントローラ１０の処理結果を一時的に記憶する作業領域として利用してもよい。ストレージ９は、半導体記憶媒体、及び磁気記憶媒体等の任意の非一過的（ｎｏｎ−ｔｒａｎｓｉｔｏｒｙ）な記憶媒体を含んでよい。ストレージ９は、複数の種類の記憶媒体を含んでよい。ストレージ９は、メモリカード、光ディスク、又は光磁気ディスク等の記憶媒体と、記憶媒体の読み取り装置との組み合わせを含んでよい。ストレージ９は、ＲＡＭ（Ｒａｎｄｏｍ  Ａｃｃｅｓｓ  Ｍｅｍｏｒｙ）等の一時的な記憶領域として利用される記憶デバイスを含んでよい。
【００２３】
ストレージ９に記憶されるプログラムには、フォアグランド又はバックグランドで実行されるアプリケーションと、アプリケーションの動作を支援する基本プログラムとが含まれる。アプリケーションの画面は、例えば、フォアグランドで実行される場合に、ディスプレイ２Ａに表示される。基本プログラムには、例えば、ＯＳが含まれる。アプリケーション及び基本プログラムは、通信ユニット６による無線通信又は非一過的な記憶媒体を介してストレージ９にインストールされてもよい。
【００２４】
ストレージ９は、例えば、制御プログラム９Ａ、加速度データ９Ｂ、状態データ９Ｃ、判別データ９Ｄ、充電データ９Ｅ、推定データ９Ｆ、及び設定データ９Ｚ等を記憶できる。加速度データ９Ｂは、加速度センサ１５が検出した加速度値に関する情報を含む。状態データ９Ｃは、電子機器１の移動状態を示す情報を含む。判別データ９Ｄは、電子機器１の移動状態の判別に用いる情報を含む。充電データ９Ｅは、バッテリー４０に関する情報を含む。推定データ９Ｆは、バッテリー４０の充電状態と自機の移動状態との関係に関する情報を含む。設定データ９Ｚは、電子機器１の動作に関する各種の設定に関する情報を含む。
【００２５】
制御プログラム９Ａは、電子機器１を稼働させるための各種制御に関する機能を提供できる。制御プログラム９Ａは、例えば、通信ユニット６、レシーバ７、及びマイク８等を制御することによって、通話を実現させる。制御プログラム９Ａが提供する機能には、加速度センサ１５等を制御することによって、自機の複数の移動状態を判別する機能が含まれる。
【００２６】
例えば、電子機器１の複数の移動状態は、停止状態、静止状態、歩行状態、走行状態、第１の乗り物での移動状態、第２の乗り物での移動状態を含む。停止状態は、自機を携帯している利用者が停止している状態を含む。静止状態は、自機が置かれた状態を含む。歩行状態は、自機を携帯している利用者が歩行している状態を含む。走行状態は、自機を携帯している利用者が走行している状態を含む。第１の乗り物での移動状態は、自機を携帯している利用者が第１の乗り物で移動している状態を含む。第１の乗り物は、例えば、自動車、電車、バス、飛行機等の自転車以外の動力を用いた乗り物を含む。第１の乗り物は、利用者自身が自動車と直接的に衝突する事故、接触する事故に遭遇する可能性が低い乗り物を含む。第２の乗り物での移動状態は、自機を携帯している利用者が自転車、バイクで移動している状態を含む。例えば、第２の乗り物は、利用者自身が自動車と直接的に衝突する事故、接触する事故に遭遇する可能性がある乗り物を含む。
【００２７】
制御プログラム９Ａは、バッテリー４０の充電状態と自機の移動状態とに基づいて、利用者が安全な場所にいるか否かを推定する機能を提供できる。例えば、安全な場所は、屋内、車両の内部等を含む。例えば、安全でない場所は、屋外を含む。屋内にいる利用者は、道路等に飛び出す可能性が低い。屋外にいる利用者は、道路等に飛び出す可能性がある。例えば、自動車を運転する運転者は、安全な場所にいない人を危険の対象として注意する必要があるが、安全な場所にいる人を危険の対象として注意する必要はない。制御プログラム９Ａは、利用者が安全な場所にいるか否かの推定結果に基づいて、利用者の存在を外部の電子機器に報知する機能を提供できる。
【００２８】
本実施形態では、電子機器１は、利用者の存在を運転者等に報知する必要がない場所を安全な場所とする場合について説明するが、これに限定されない。例えば、電子機器１は、安全な場所を、上記第１の乗り物内の場所としてもよい。
【００２９】
加速度データ９Ｂは、加速度センサ１５の検出結果としてコントローラ１０に送信されてくる複数の加速度情報を含む。加速度データ９Ｂは、複数の加速度情報を時系列で示すことができる。加速度情報は、例えば、時間と、加速度値とを含む。時間は、加速度センサ１５によって加速度の方向および大きさを検出した時間を示す。加速度値は、加速度センサ１５によって検出した加速度の方向および大きさの値を示す。
【００３０】
例えば、コントローラ１０には、加速度センサ１５の検出結果が送信されてくる。検出結果は、Ｘ軸方向の加速度値と、Ｙ軸方向の加速度値と、Ｚ軸方向の加速度値と、各加速度値を合成したベクトル値とを含む。コントローラ１０は、加速度センサ１５の検出結果をストレージ９の加速度データ９Ｂにロギングする。コントローラ１０は、Ｘ軸方向の加速度値、Ｙ軸方向の加速度値、およびＺ軸方向の加速度値を演算して合成ベクトル値を計算してもよい。
【００３１】
状態データ９Ｃは、自機の複数の移動状態を示す情報を含む。複数の移動状態は、例えば、停止状態、静止状態、歩行状態、走行状態、第１の乗り物での移動状態、第２の乗り物での移動状態を含む。コントローラ１０は、移動状態の変化の検出に応じて状態データ９Ｃを更新する。
【００３２】
判別データ９Ｄは、自機の複数の移動状態ごとに対応する加速度パターンを含む。加速度パターンは、自機の複数の移動状態ごとに、どのような加速度パターンが加速度センサ１５により特徴的に検出されるのかを予め計測し、抽出しておいた加速度パターンを含む。加速度パターンは、上述した合成ベクトル値のロギングしたデータに対応するように記憶される。判別データ９Ｄは、例えば、停止状態、静止状態、歩行状態、走行状態、第１の乗り物での移動状態、第２の乗り物での移動状態等の状態の各々に対応した加速度パターンを含む。
【００３３】
例えば、コントローラ１０は、加速度データ９Ｂの合成ベクトルのパターンと判別データ９Ｄの加速度パターンとを比較し、一致した加速度パターンに対応付けられた状態を、電子機器１の状態として判別できる。なお、パターンの一致とは、完全に一致している場合、所定の割合で一致している場合を含む。
【００３４】
充電データ９Ｅは、バッテリー４０の充電状態を示す情報を含む。充電状態は、例えば、充電中状態、充電後状態等を含む。充電中状態は、例えば、バッテリー４０に充電している状態を含む。充電後状態は、例えば、バッテリー４０がフル充電された状態、バッテリー４０の充電が中断された状態等を含む。充電後状態は、例えば、充電が終了してから所定の時間が経過するまでの状態を含んでもよい。充電後状態は、例えば、充電が終了してから利用者の所定の歩数の歩行を検出するまでの状態を含んでもよい。充電後状態は、例えば、充電が終了してから歩行または乗り物での移動を検出するまでの状態を含んでもよい。コントローラ１０は、充電状態の変化の検出に応じて充電データ９Ｅを更新する。
【００３５】
推定データ９Ｆは、バッテリー４０の充電状態と自機の移動状態とに基づいて、利用者が安全な場所であるか否かを推定するための情報を含む。推定データ９Ｆの詳細については、後述する。
【００３６】
設定データ９Ｚは、制御プログラム９Ａなどにより提供される機能に基づいて実行される処理に用いられる各種データを含む。
【００３７】
コントローラ１０は、電子機器１の動作を統括的に制御して各種の機能を実現できる。コントローラ１０は、演算処理装置を含む。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−Ｃｈｉｐ）、ＭＣＵ（Ｍｉｃｒｏ  Ｃｏｎｔｒｏｌ  Ｕｎｉｔ）、ＦＰＧＡ（Ｆｉｅｌｄ−Ｐｒｏｇｒａｍｍａｂｌｅ  Ｇａｔｅ  Ａｒｒａｙ）、およびコプロセッサを含んでもよいが、これらに限定されない。ＳｏＣは、通信ユニット６等の他の構成要素が統合されていてもよい。
【００３８】
具体的には、コントローラ１０は、ストレージ９に記憶されているプログラムに含まれる命令を実行できる。コントローラ１０は、ストレージ９に記憶されているデータを必要に応じて参照できる。コントローラ１０は、データ及び命令に応じて機能部を制御する。コントローラ１０は、機能部を制御することによって、各種機能を実現する。機能部は、例えば、ディスプレイ２Ａ、通信ユニット６、レシーバ７、及びスピーカ１１を含むが、これらに限定されない。コントローラ１０は、検出部の検出結果に応じて、制御を変更することがある。検出部は、例えば、タッチスクリーン２Ｂ、ボタン３、照度センサ４、近接センサ５、マイク８、カメラ１２、カメラ１３、加速度センサ１５、地磁気センサ１６、角速度センサ１７、及びＧＰＳレシーバ１８を含むが、これらに限定されない。
【００３９】
コントローラ１０は、例えば、制御プログラム９Ａを実行することにより、タッチスクリーン２Ｂを介して判別されたジェスチャに応じて、ディスプレイ２Ａに表示されている情報を変更する等の各種制御を実行できる。
【００４０】
コントローラ１０は、制御プログラム９Ａを実行することにより、加速度センサ１５、地磁気センサ１６、角速度センサ１７、及びＧＰＳレシーバ１８と協働する。コントローラ１０は、加速度センサ１５の検出結果に基づき、自機の移動状態を判別する処理を実行する。コントローラ１０は、制御プログラム９Ａを実行することにより、バッテリー４０の充電状態を検出する処理を実行する。
【００４１】
スピーカ１１は、コントローラ１０から送信される音信号を音として出力できる。スピーカ１１は、例えば、着信音及び音楽を出力してもよい。レシーバ７及びスピーカ１１の一方が、他方の機能を兼ねてもよい。
【００４２】
カメラ１２及びカメラ１３は、撮影した画像を電気信号へ変換できる。カメラ１２は、ディスプレイ２Ａに面している物体を撮影するインカメラでもよい。カメラ１３は、ディスプレイ２Ａの反対側の面に面している物体を撮影するアウトカメラでもよい。カメラ１２及びカメラ１３は、インカメラ及びアウトカメラを切り換えて利用可能なカメラユニットとして、機能的及び物理的に統合された状態で電子機器１に実装されてもよい。
【００４３】
コネクタ１４は、他の装置が接続される端子である。コネクタ１４は、ＵＳＢ（Ｕｎｉｖｅｒｓａｌ  Ｓｅｒｉａｌ  Ｂｕｓ）、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）、ライトピーク（サンダーボルト（登録商標））、イヤホンマイクコネクタのような汎用的な端子であってもよい。コネクタ１４は、Ｄｏｃｋコネクタのような専用の端子でもよい。コネクタ１４に接続される装置は、例えば、外部電源、外部ストレージ、スピーカ、及び通信装置を含むが、これらに限定されない。
【００４４】
加速度センサ１５は、電子機器１に作用する加速度の方向及び大きさを検出できる。加速度センサ１５は、検出した加速度値をコントローラ１０に送出できる。コントローラ１０は、加速度センサ１５により検出される加速度の方向及び大きさ、または加速度の方向及び大きさの時系列変化を含む加速度パターンに基づいて、自機の移動状態の変化を検出してもよい。
【００４５】
地磁気センサ１６は、例えば、地磁気を計測することにより、電子機器１の向き（方位）を検出できる。地磁気センサ１６は、検出した地磁気値をコントローラ１０に送出できる。地磁気センサ１６は、２軸タイプおよび３軸タイプのいずれであってもよい。地磁気センサ１６は、磁界の向き及び大きさを検出してもよい。コントローラ１０は、地磁気センサ１６により検出される地磁気値に基づいて、利用者の進行方向を検出できる。
【００４６】
角速度センサ１７は、例えば、電子機器１の角速度の大きさ及び方向を測定できる。角速度センサ１７は、検出した角速度値をコントローラ１０に送出できる。コントローラ１０は、角速度センサ１７により検出される角速度の大きさ及び方向、又は角速度の方向及び大きさの時系列変化を含む角速度パターンに基づいて、電子機器１の向きの変化を検出できる。コントローラ１０は、例えば地磁気を検出できない環境等において、電子機器１の方位を電子機器１の向きの変化に基づいて変更できる。
【００４７】
ＧＰＳレシーバ１８は、電子機器１の現在位置を検出できる。ＧＰＳレシーバ１８は、ＧＰＳ衛星からの所定の周波数帯の電波信号を受信し、受信した電波信号の復調処理を行って、処理後の信号をコントローラ１０に送出する。本実施形態では、電子機器１は、ＧＰＳレシーバ１８を有する場合について説明するが、これに限定されない。例えば、電子機器１は、ＧＰＳ衛星以外の測位衛星からの電波信号を受信するレシーバを備えてもよい。例えば、電子機器１は、通信ユニット６が無線通信を用いる基地局に基づいて、現在位置を検出してもよい。例えば、電子機器１は、複数の方式を併用して、現在位置を検出してもよい。
【００４８】
コントローラ１０は、加速度センサ１５、地磁気センサ１６、及び角速度センサ１７の各出力を組み合わせて利用してよい。複数のセンサの出力を組み合わせて利用することで、電子機器１は、自機の動きを高度に反映させた制御をコントローラ１０によって実行できる。加速度センサ１５、地磁気センサ１６、および角速度センサ１７は、１つのモーションセンサとして利用してよい。
【００４９】
図１においてストレージ９が記憶するプログラム及びデータの一部又は全部は、通信ユニット６による無線通信で他の装置からダウンロードされてもよい。図１においてストレージ９が記憶するプログラム及びデータの一部又は全部は、ストレージ９に含まれる読み取り装置が読み取り可能な非一過的な記憶媒体に記憶されていてもよい。図１においてストレージ９が記憶するプログラム及びデータの一部又は全部は、コネクタ１４に接続される装置が読み取り可能な非一過的な記憶媒体に記憶されていてもよい。非一過的な記憶媒体は、例えば、ＣＤ（登録商標）、ＤＶＤ（登録商標）、Ｂｌｕ−ｒａｙ（登録商標）等の光ディスク、光磁気ディスク、磁気記憶媒体、メモリカード、及びソリッドステート記憶媒体を含むが、これらに限定されない。
【００５０】
バッテリー４０は、充電可能な電池を含む。バッテリー４０は、蓄電された電力をコントローラ１０、電子機器１において電力を必要とする各部等に供給する。コントローラ１０、各部等は、バッテリー４０から供給される電力によって作動する。
【００５１】
充電部４１は、バッテリー４０の充電動作を制御する。充電部４１は、コネクタ１４からバッテリー４０に電力を供給できる状態であるか否かを検出する機能を含む。例えば、充電部４１は、コネクタ１４に外部電源が接続されている場合に、コネクタ１４からバッテリー４０に電力を供給できる状態を検出できる。外部電源は、例えば、ＡＣアダプタ、コンセント、モバイルバッテリー等を含む。例えば、充電部４１は、コネクタ１４とバッテリー４０との間の電線に流れる電流、電圧を検出するセンサを用いて、電力を供給できる状態を検出できる。充電部４１は、外部電源がＡＣアダプタ、コンセント等を介して電力を取得するものであるか、外部電源がモバイルバッテリー（蓄電池）から電力を取得するものであるかにかかわらず、外部電源からバッテリー４０に電力が供給されているかを検出できる。充電部４１は、バッテリー４０の充電情報をコントローラ１０に送出できる。充電情報は、例えば、バッテリー４０の充電状態及び電力の残量、充電を終了した日時等の情報を含む。
【００５２】
本実施形態では、電子機器１は、コネクタ１４を介して外部電源からバッテリー４０に充電する場合について説明するが、これに限定されない。例えば、充電部４１は、充電用コイルを用いて、非接触で電力を受け取り、バッテリー４０に充電してもよい。例えば、電子機器１は、専用の充電台によって充電を行ってもよい。この場合、充電部４１は、接触センサ等を用いて、電子機器１が充電台の所定位置に所定の姿勢で支持されているかを検出すればよい。例えば、利用者は、充電台を用いて電子機器１を充電する場合、自宅、会社等の安全な場所にいる可能性が高い。このため、電子機器１は、充電台による充電である場合に、充電中状態と判別することで、充電状態の判別精度を向上させることができる。
【００５３】
図２は、推定データ９Ｆの一例を示す図である。図２を用いて、推定データ９Ｆが示すバッテリー４０の充電状態と自機の移動状態との関係の一例を説明する。
【００５４】
例えば、電子機器１の充電状態が充電中状態であり、自機の移動状態が停止状態または静止状態である場合、利用者は、屋内、地下等の安全な場所にいる可能性がある。例えば、電子機器１の充電状態が充電中状態であり、移動状態が第１の乗り物での移動状態である場合、利用者は、乗り物内等の安全な場所にいる可能性がある。例えば、電子機器１は、モバイルバッテリーによる充電が可能である場合、移動状態が歩行状態または走行状態でも、充電が行われる可能性がある。すなわち、電子機器１の充電状態が充電中状態であり、移動状態が第２の乗り物（自転車等）での移動状態、走行状態、歩行状態である場合、利用者は、安全な場所にいない可能性がある。
【００５５】
図２に示す例では、推定データ９Ｆは、充電状態が充電中状態である場合、自機の移動状態が停止状態、静止状態、第１の乗り物での移動状態であると、利用者が安全な場所にいると推定できることを示している。推定データ９Ｆは、充電状態が充電中状態である場合、自機の移動状態が第２の乗り物での移動状態、走行状態、歩行状態であると、利用者が安全な場所にいないと推定できることを示している。推定データ９Ｆは、充電状態が充電後状態である場合、自機の移動状態が停止状態、静止状態、第１の乗り物での移動状態であると、利用者が安全な場所にいると推定できることを示している。推定データ９Ｆは、充電状態が充電後状態である場合、自機の移動状態が第２の乗り物での移動状態、走行状態、歩行状態であると、利用者が安全な場所にいないと推定できることを示している。
【００５６】
電子機器１は、推定データ９Ｆを参照することにより、バッテリー４０の充電状態と自機の移動状態とに基づいて、自機の利用者が安全な場所にいるか否かを推定できる。電子機器１は、バッテリー４０の充電状態と自機の移動状態との検出結果を組み合わせることで、自機の周囲環境の推定精度を向上できる。電子機器１は、判別した自機の移動状態の利用方法を改善することができる。電子機器１は、自機の現在位置を検出できない場所でも、バッテリー４０の充電開始等をトリガーとして自機の周囲環境を推定することができる。
【００５７】
本実施形態では、推定データ９Ｆは、自機の移動状態が歩行状態、かつ充電状態が充電中状態である場合、利用者が安全な場所にいないと推定できる場合について説明するが、これに限定されない。例えば、自機の移動状態が歩行状態、かつ充電状態が充電中状態である場合、利用者が屋内を歩行している可能性もある。このため、推定データ９Ｆは、自機の移動状態が歩行状態、かつ充電状態が充電中状態である場合、推定を行わないことを示す情報を設定してもよい。
【００５８】
図３は、電子機器１による制御の一例の処理手順を示すフローチャートである。図３に示す処理手順は、コントローラ１０が制御プログラム９Ａを実行することによって実現される。図３に示す処理手順は、コントローラ１０によって繰り返し実行される。図３に示す処理手順は、例えば、バッテリー４０の充電開始の検出に応じて、繰り返し実行されてもよい。図３に示す処理手順は、例えば、バッテリー４０の充電が終了して所定時間が経過した場合に、繰り返しの実行を終了させてもよい。
【００５９】
図３に示すように、電子機器１のコントローラ１０は、ステップＳ１０１として、充電部４１から充電情報を取得する。コントローラ１０は、取得した充電情報を充電データ９Ｅに記憶してもよい。コントローラ１０は、ステップＳ１０２として、自機の移動状態を判別する。例えば、コントローラ１０は、加速度センサ１５の検出結果を示す加速度データ９Ｂと判別データ９Ｄとに基づいて、自機の移動状態を判別する。コントローラ１０は、判別結果をストレージ９に記憶すると、処理をステップＳ１０３に進める。
【００６０】
コントローラ１０は、ステップＳ１０３として、充電状態と移動状態とに基づいて、自機の利用者が安全な場所にいるか否かを判定する。例えば、コントローラ１０は、取得した充電情報が示す充電状態と、判別した移動状態と、推定データ９Ｆとに基づいて、自機の利用者が安全な場所にいるか否かを推定する。コントローラ１０は、推定結果をストレージ９に記憶すると、処理をステップＳ１０４に進める。
【００６１】
コントローラ１０は、ステップＳ１０４として、ステップＳ１０３で利用者が安全な場所にいないと推定したか否かを判定する。コントローラ１０は、利用者が安全な場所にいないと推定したと判定した場合（ステップＳ１０４でＹｅｓ）、処理をステップＳ１０５に進める。
【００６２】
コントローラ１０は、ステップＳ１０５として、報知処理を実行する。例えば、報知処理は、利用者が存在していることを報知するための報知情報を含む電波を、通信ユニット６を介して自機の近傍に位置する外部の電子機器に送信する処理を含む。報知情報は、例えば、自機の移動状態を示す情報を含んでもよい。外部の電子機器は、例えば、路側機、車両、車両に搭載された車載器等を含む。コントローラ１０は、報知処理の実行が終了すると、図３に示す処理手順を終了させる。
【００６３】
コントローラ１０は、利用者が安全な場所にいないと推定していないと判定した場合（ステップＳ１０４でＮｏ）、利用者が安全な場所にいると推定しているため、報知処理を実行せずに、図３に示す処理手順を終了させる。
【００６４】
図３に示す例では、処理手順は、充電情報を取得した後に、自機の移動状態を判別する手順について説明したが、これに限定されない。例えば、処理手順は、自機の移動状態を判別した後に、充電情報を取得する手順としてもよい。
【００６５】
図４は、報知システム１００のシステム構成の一例を示すシステム図である。図４を参照しつつ、上記の電子機器１を含む報知システム１００の一例について説明する。
【００６６】
図４に示すように、報知システム１００は、上記の電子機器１と、路側機２００と、車両３００と、を備える。路側機２００は、所定のエリアまたは所定のエリアの近傍に設けられている。所定のエリアは、例えば、道路、交差点、駐車場等のエリアを含む。所定のエリアは、例えば、交通事故が発生する可能性がある箇所を含むエリアとしてもよい。路側機２００は、所定のエリアの内部及び近傍の不特定多数の電子機器に電波を送出できる。車両３００は、例えば、自動車、トラック、バス、タクシー、緊急車両等を含む。車両３００は、車載装置３１０を備える。車載装置３１０は、例えば、路側機２００からの電波が受信可能なように、車両３００に搭載されている。車載装置３１０は、例えば、ナビゲーション装置、ＥＴＣ（Ｅｌｅｃｔｒｏｎｉｃ  Ｔｏｌｌ  Ｃｏｌｌｅｃｔｉｏｎ  Ｓｙｓｔｅｍ）車載器、コンビネーションメータ、カーオーディオ等の車両３００に搭載される車載装置を含む。車載装置３１０は、例えば、運転者によって車両３００に持ち込まれる電子機器としてもよい。車両３００に持ち込まれる電子機器は、例えば、スマートフォン、携帯電話機、ウェアラブル装置、携帯ゲーム機等を含む。
【００６７】
路側機２００及び車載装置３１０は、通信部を有する。路側機２００と車載装置３１０とは、通信部を介して互いに双方向通信ができるように構成されている。路側機２００と車載装置３１０とは、通信部を介して、屋内及び屋外の電子機器１と双方向通信ができるように構成されている。路側機２００は、所定のエリアに関する情報を送信する機能を含む。車載装置３１０は、受診した情報を利用者に提供する機能を含む。
【００６８】
例えば、電子機器１を携帯する利用者は、停止した状態で、自宅、会社等の建物５００内で電子機器１のバッテリー４０の充電を行っている。この場合、電子機器１は、バッテリー４０の充電状態が充電中状態、自機の移動状態が停止状態と判別する。電子機器１は、推定データ９Ｆに基づいて、充電状態が充電中状態、自機の移動状態が停止状態であるため、利用者が安全な場所にいると推定する。電子機器１は、利用者が安全な場所にいると推定した場合、外部の電子機器に対する報知処理を実行しない。その結果、電子機器１は、通信ユニット６を動作させないので、消費電力の増加を抑制することができる。一方、車載装置３１０は、安全な場所にいる利用者が携帯する電子機器１からの報知を受信しないので、運転者に必要な情報のみを提供することができる。
【００６９】
その後、利用者は、電子機器１のバッテリー４０の充電が終了し、建物５００から外部に歩行により移動している。この場合、電子機器１は、バッテリー４０の充電状態が充電後状態、自機の移動状態が歩行状態と判別する。電子機器１は、推定データ９Ｆに基づいて、充電状態が充電後状態、自機の移動状態が歩行状態であるため、利用者が安全な場所にいないと推定する。利用者が安全な場所にいないと推定した場合、外部の電子機器に対する報知処理を実行する。例えば、電子機器１の近傍に通信可能な路側機２００と車載装置３１０とが存在する場合、電子機器１は、路側機２００と車載装置３１０とに、利用者の存在を報知するための報知情報Ｄを含む電波を送信する。その結果、電子機器１は、利用者の存在を路側機２００、車載装置３１０等に報知できるため、利用者の安全性を向上させることができる。一方、車載装置３１０は、安全な場所にいない利用者が携帯する電子機器１からの報知情報Ｄを受信した場合、例えば、飛び出しの危険がある歩行者が近くにいることを運転者に報知することができる。その結果は、運転者は、歩行者や自転車の交通弱者との交通事故を回避できる可能性を向上することができる。また、路側機２００は、安全な場所にいない利用者が携帯する電子機器１からの報知情報Ｄを受信した場合、例えば、路側機２００に接近する車両３００、車載装置３１０等に対して当該報知情報Ｄを転送することができる。その結果、路側機２００は、車両３００と交通弱者との交通事故の回避に貢献することができる。
【００７０】
例えば、電子機器１を携帯する利用者は、屋外を第２の乗り物（自転車）で移動した状態で、電子機器１のバッテリー４０の充電を行っている。この場合、電子機器１は、バッテリー４０の充電状態が充電中状態、自機の移動状態が第２の乗り物での移動状態と判別する。電子機器１は、推定データ９Ｆに基づいて、充電状態が充電中状態、自機の移動状態が第２の乗り物での移動状態であるため、利用者が安全な場所にいないと推定する。電子機器１は、利用者が安全な場所にいないと推定した場合、外部の電子機器に対する報知処理を実行する。例えば、電子機器１の近傍に通信可能な車載装置３１０が存在する場合、電子機器１は、車載装置３１０に、利用者の存在を報知するための報知情報Ｄを含む電波を送信する。その結果、電子機器１は、利用者の存在を車載装置３１０に報知できるため、利用者の安全性を向上させることができる。一方、車載装置３１０は、安全な場所にいない利用者が携帯する電子機器１からの報知情報Ｄを受信した場合、例えば、飛び出しの危険がある歩行者が近くにいることを運転者に報知することができる。その結果は、運転者は、歩行者や自転車の交通弱者との交通事故を回避できる可能性を向上することができる。
【００７１】
上記の実施形態では、電子機器１は、バッテリー４０の充電状態と自機の移動状態とに基づいて、利用者が安全な場所にいるか否かを推定する場合について説明したが、これに限定されない。例えば、電子機器１は、バッテリー４０の充電状態と自機の移動状態とに基づいて、利用者が屋内にいるか否かを推定してもよい。
【００７２】
図５は、推定データ９Ｆの他の一例を示す図である。図５を用いて、推定データ９Ｆが示すバッテリー４０の充電状態と自機の移動状態との関係の他の一例を説明する。
【００７３】
例えば、電子機器１の充電状態が充電中状態であり、移動状態が停止状態または静止状態である場合、利用者は、屋内にいる可能性がある。例えば、電子機器１の充電状態が充電中状態であり、移動状態が第１の乗り物での移動状態である場合、利用者は、安全な乗り物内にいる可能性がある。例えば、電子機器１は、モバイルバッテリーによる充電が可能である場合、移動状態が歩行状態または走行状態でも、充電が行われる可能性がある。ただし、利用者は、屋内で走ったり、自転車に乗ったりする可能性は低い。よって、電子機器１の充電状態が充電中状態であり、移動状態が第２の乗り物（自転車等）での移動状態、走行状態である場合、利用者は、屋外にいる可能性がある。電子機器１の充電状態が充電中状態であり、移動状態が歩行状態である場合、利用者は、屋外または屋内にいる可能性がある。
【００７４】
図５に示す例では、推定データ９Ｆは、充電状態が充電中状態及び充電後状態である場合、自機の移動状態が停止状態、静止状態であると、利用者が屋内にいると推定できることを示している。推定データ９Ｆは、充電状態が充電中状態である場合、自機の移動状態が第１の乗り物での移動状態であると、利用者が安全な屋外にいると推定できることを示している。推定データ９Ｆは、充電状態が充電中状態である場合、自機の移動状態が第２の乗り物での移動状態、走行状態であると、利用者が屋外にいると推定できることを示している。推定データ９Ｆは、充電状態が充電中状態及び充電後状態である場合、自機の移動状態が歩行状態であると、屋内、屋外を推定できないことを示している。推定データ９Ｆは、充電状態が充電後状態である場合、自機の移動状態が第１の乗り物での移動状態、第２の乗り物での移動状態、走行状態であると、屋内、屋外を推定できないことを示している。
【００７５】
電子機器１は、推定データ９Ｆを参照することにより、バッテリー４０の充電状態と自機の移動状態とに基づいて、自機の利用者が屋内にいるか否かを推定できる。電子機器１は、バッテリー４０の充電状態と自機の移動状態との検出結果を組み合わせることで、自機の周囲環境の推定精度を向上できる。電子機器１は、判別した自機の移動状態の利用方法を改善することができる。電子機器１は、自機の現在位置を検出できない場所でも、バッテリー４０の充電開始等をトリガーとして自機の周囲環境を推定することができる。
【００７６】
添付の請求項に係る技術を完全かつ明瞭に開示するために特徴的な実施形態に関し記載してきた。しかし、添付の請求項は、上記の実施形態に限定されるべきものでなく、本明細書に示した基礎的事項の範囲内で当該技術分野の当業者が創作しうるすべての変形例及び代替可能な構成を具現化するように構成されるべきである。
【符号の説明】
【００７７】
１  電子機器
２  タッチスクリーンディスプレイ
２Ａ  ディスプレイ
２Ｂ  タッチスクリーン
３  ボタン
４  照度センサ
５  近接センサ
６  通信ユニット
７  レシーバ
８  マイク
９  ストレージ
９Ａ  制御プログラム
９Ｂ  加速度データ
９Ｃ  状態データ
９Ｄ  判別データ
９Ｅ  充電データ
９Ｆ  推定データ
９Ｚ  設定データ
１０  コントローラ
１１  スピーカ
１２、１３  カメラ
１４  コネクタ
１５  加速度センサ
１６  地磁気センサ
１７  角速度センサ
１８  ＧＰＳレシーバ
【図１】
2018033030.tif 000003
【図２】
2018033030.tif 000004
【図３】
2018033030.tif 000005
【図４】
2018033030.tif 000006
【図５】
2018033030.tif 000007